(57)【要約】【課題】プッシュオープン式の引出を有するシステムキッチンの複数のドライブユニットに、電源ケーブルを単純に走行させて接続する。【解決手段】システムキッチン１００は、垂直方向に配列された複数の引出１３２と、引出１３２をスライド自在に収納可能なベースキャビネット１３０と、引出１３２の奥に垂直方向に配列される複数のドライブユニット２１０であって、各ドライブユニット２１０は引出１３２の、所定の収納完了位置から収納方向へのさらなる押進を検知して、引出１３２を反収納方向へ押し出す複数のドライブユニット２１０と、複数のドライブユニット２１０を一括して支持する立設された平板状の縦ブラケット４００とを含み、縦ブラケット４００は、その上端とベースキャビネット１３０の天板４４０との間に配線用の空隙４１０を有している。【選択図】図５
2009050327.tif 000002
【特許請求の範囲】
【請求項１】
垂直方向に配列された複数の引出と、
前記複数の引出をスライド自在に収納可能な収納庫と、
前記複数の引出の奥に垂直方向に配列される複数の押出制御器であって、各押出制御器は前記収納庫における対応する引出の位置を認識し、所定の収納完了位置から収納方向への前記対応する引出のさらなる押進を検知して、該対応する引出を反収納方向へ押し出す複数の押出制御器とを含む収納ユニットにおいて、
前記複数の押出制御器を一括して支持する立設された平板状の縦ブラケットをさらに含み、
前記縦ブラケットは、その上端と前記収納庫の天板との間に配線用の空隙を有していることを特徴とする収納ユニット。
【請求項２】
前記縦ブラケットの上端を支持し前記収納庫の両側板に差し渡されている間口材をさらに含み、
前記空隙は、前記間口材と前記天板との間に形成されていることを特徴とする請求項１に記載の収納ユニット。
【請求項３】
前記配線は、前記縦ブラケットの背面側から前記空隙を通り、前記縦ブラケットの前面側に支持されている前記複数の押出制御器のうち、上方のものから順次下方のものへ到来するように接続されることを特徴とする請求項１または２に記載の収納ユニット。
【発明の詳細な説明】
【技術分野】
【０００１】
本発明は、プッシュオープン式の引出を有する収納ユニットに関するものである。
【背景技術】
【０００２】
被収納物を収納する手段としては、戸棚や押し入れといった、固定された棚に被収納物自体を動かして収納する手段と、タンスやキッチンといった、引出をスライドして被収納物を載置し引出ごと収納する手段とがある。
【０００３】
後者の、引出を用いる収納手段では、被収納物を上方から容易に収納でき、複数の引出を水平および垂直方向に並行して設けることで高い空間効率を得ることができる。また、被収納物を出し入れする時以外においては外部から隔離でき埃等の進入を防ぐことが可能となる。例えば、キッチンにおける引出には、碗、皿、カップ等の食器類、鍋、フライパン等の調理器具、塩、胡椒等の調味料など、大小様々な被収納物を上方から容易に収納することができる。
【０００４】
このような収納ユニットでは、通常、引出に取手が設けられている。ユーザはかかる取手を操作して引出をスライドし、被収納物を出し入れする。しかし、例えばキッチンでは、調理の最中に被収納物である鍋やボウル、レードル類を取り出す場合であっても、手に食材や水気がついていることも多く、取手を把持するのが困難な状況がある。そこで、取手を把持することなく、引出を一旦押し込むだけの操作を通じて、引出を前方に飛び出させるプッシュオープン式の収納ユニットが創作された（例えば、特許文献１〜３）。かかるプッシュオープン式の収納ユニットでは、引出に手の甲や手以外の部位を接触させることによっても容易に引き出すことができ、調理の効率を向上することができる。
【特許文献１】特開２００４―２４８８４７号公報
【特許文献２】特開２００４―２４８８４８号公報
【特許文献３】国際公開ＷＯ２００６／１１２１８９号公報
【発明の開示】
【発明が解決しようとする課題】
【０００５】
上述のプッシュオープン式の収納ユニットには、引出が通常の収納位置よりさらに収納方向に向かって所定の位置まで押し込まれると、それを検知して引出を反収納方向へ押し出す、押出制御器が設けられている。複数の引出それぞれに対応して設けられる複数の押出制御器は、収納庫内に垂直方向に配置され、収納庫内に立設されたブラケットの前面に支持される。押出制御器は、対応する引出と接触することで、引出の位置を検知可能である。
【０００６】
引出を収容する収納庫の下方に配線専用のスペースが設けられている場合、そのスペースに主電源ケーブルを通すことにより、同ケーブルを収納庫内の引出と干渉させずにすむ。そして、主電源ケーブルから分岐させた分岐電源ケーブルを上方へ伸ばし、垂直に配列された複数の押出制御器のうち、下方のものから順次上方のものまで、接続可能である。
【０００７】
しかし省スペース化などの目的で、収納庫が上述のような配線専用のスペースを下方に設けることができない場合、主電源ケーブルは、収納庫内の、引出が存在するのと同じ高さに配線する必要がある。したがって、押出制御器を支持するブラケットのさらに奥に、主電源ケーブルを配線する必要がある。
【０００８】
このとき、押出制御器に電力を供給するケーブルをどのように配線するかが問題となる。とりわけ、複数の押出制御器が縦ブラケット、すなわち収納庫内の縦方向に差し渡されたブラケットの前面側に一括して支持される場合、背面側の主電源ケーブルから、いかにして分岐ケーブルを単純に走行させてすべての押出制御器に接続するかが問題となる。
【０００９】
本発明はこのような課題に鑑み、収納庫内の縦ブラケットの前面に一括して支持される複数の押出制御器に、背面側に配線された電源ケーブルを単純に走行させて接続する収納ユニットを提供することを目的とする。
【課題を解決するための手段】
【００１０】
上述の課題を解決するために、本発明の代表的な構成では、垂直方向に配列された複数の引出と、複数の引出をスライド自在に収納可能な収納庫と、複数の引出の奥に垂直方向に配列される複数の押出制御器であって、各押出制御器は収納庫における対応する引出の位置を認識し、所定の収納完了位置から収納方向への対応する引出のさらなる押進を検知して、対応する引出を反収納方向へ押し出す、複数の押出制御器とを含む収納ユニットにおいて、複数の押出制御器を一括して支持する立設された平板状の縦ブラケットをさらに含み、縦ブラケットは、その上端と収納庫の天板との間に配線用の空隙を有していることを特徴とする。
【００１１】
上述の構成によれば、押出制御器を前面で支持する縦ブラケットの背面側に主電源ケーブルが配線されている場合であっても、主電源ケーブルから分岐させた分岐電源ケーブルを、空隙を通して、縦ブラケットの前面側に取り回すことができる。したがって、縦ブラケットの前面側に支持されている押出制御器に分岐電源ケーブルを配線することができる。
【００１２】
収納ユニットは、縦ブラケットの上端を支持し収納庫の両側板に差し渡されている間口材をさらに含み、空隙は、間口材と天板との間に形成されていてもよい。
【００１３】
このような構成によれば、間口材により、分岐電源ケーブルは、縦ブラケットの背面から前面へ空隙を通ることとなり、縦ブラケットの上方からのみ、分岐電源ケーブルを取り回すことができる。
【００１４】
縦ブラケットの横の空隙から分岐電源ケーブルを取り回すことも可能ではあるが、その方式の場合、最上部の押出制御器から順次、下方のものへ到来するように配線するという配線が行いにくくなるからである。
【００１５】
上述の配線は、縦ブラケットの背面側から空隙を通り、縦ブラケットの前面側に支持されている複数の押出制御器のうち、上方のものから順次下方のものへ到来するように接続されるとよい。これによれば、分岐電源ケーブルは引出と干渉することなく、整然と配線されるからである。
【発明の効果】
【００１６】
本発明によれば、収納庫内の縦ブラケットの前面に一括して支持される複数の押出制御器に、背面側に配線された電源ケーブルを単純に走行させて接続する収納ユニットを提供できる。
【発明を実施するための最良の形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。なお、以下の実施形態に示す寸法、材料、その他具体的な数値などは、発明の理解を容易とするための例示に過ぎず、特に断る場合を除き、本発明を限定するものではない。
【００１８】
本実施形態では、収納ユニットをシステムキッチンに適用した例を示す。また、本実施形態の理解を容易にするため、最初に収納ユニットの例としてのシステムキッチンの全体構成について説明し、その後、本実施形態の特徴である配線用の空隙を詳述する。
【００１９】
（全体構成）
図１は、収納ユニットの例としてのシステムキッチン１００の全体構成を説明する図である。かかるシステムキッチン１００は、いわゆる対面式のオープンシステムキッチンであり、その天板１１０（ワークトップとも称される。）は、ステンレス材を用いて形成され、システムキッチン１００全体の上面を覆っている。なお、天板１１０は合成樹脂素材で形成してもよい。
【００２０】
天板１１０には、組み込み式に取り付けられたコンロ１１２、調理スペース１１４、天板１１０に一体形成されたシンク１１６、および準備スペース１１８が設けられる。調理スペース１１４と準備スペース１１８とはいずれも平坦なテーブル面であり、シンク１１６とコンロ１１２の間に位置する調理スペース１１４は主に調理を行うのに利用され、シンク１１６より外側に位置する準備スペース１１８は一時的に食材や調理器具を置くために補助的に利用される。
【００２１】
天板１１０の下は、コンロ１１２本体が設置されているコンロキャビネット１２０と、調理スペース１１４に対応したベースキャビネット１３０と、シンク１１６が設置されているシンクキャビネット１４０と、準備スペース１１８に対応した補助キャビネット１５０といった各キャビネット（収納庫）で構成される。各キャビネットは収納スペースとして機能し、キャビネット内の空きスペースには、コンロ１１２への配線や、シンク１１６および水栓への給排水管などが収容されている。
【００２２】
このように、天板１１０がシステムキッチン１００全体に亘って連続しているにも拘わらず、天板１１０の下では、天板１１０の上のシンク１１６やコンロ１１２といった各構成に対応したキャビネットがその高さおよび奥行きを等しくして複数設けられている。
【００２３】
これによりシステムキッチン１００の構成を異ならせたときにも、即ち、コンロ１１２、調理スペース１１４、シンク１１６、準備スペース１１８の配置順や各構成の有無を変更したとしても、キャビネット単位では何ら変更は発生せず、引出や前板などをその都度準備しなくてもよいので生産効率を向上させることができる。
【００２４】
各キャビネットは、被収納物の収納先として様々な大きさの引出をスライド自在に設けている。例えばコンロキャビネット１２０は、上部にコンロ１１２のグリル１１２ａおよび操作パネル１１２ｂを備え、その両脇には調味料などの小物を収納するための小さな引出であるスパイスボックス１２２が配設されている。コンロキャビネット１２０の中央部、すなわちグリル１１２ａの下には幅の広い大きな引出１２４が配設され、鍋やボウルなどの比較的大きな調理器具を収納することが可能になっている。またコンロキャビネット１２０の下部の床近傍には、引出式の足下収納である足下収納庫１２６が配設されている。
【００２５】
同様に、ベースキャビネット１３０には複数の比較的小さな引出１３２および足下収納庫１３６が備え付けられ、シンクキャビネット１４０には足下収納庫１４６からシンクの幕板１４２に到る高い前板を備えた引出１４４が備え付けられている。補助キャビネット１５０には足下収納庫１５６から天板１１０に到る高い前板を備えた引出１５２が備えられ、その内部に独立して出し入れ可能な中引出１５４が備えられている。
【００２６】
（押出機構）
図２は、図１のキャビネットの内部構成を説明する図である。図２に示すように、各キャビネットの壁板２０２の内面には引出を案内するためのレール２０４が左右対称となるように備えられている。そして、それぞれの引出の収納位置（収納完了位置）の背面側には、引出を押し出す押出制御器としてのドライブユニット２１０が備えられている。
【００２７】
ドライブユニット２１０は、後述するように、引出の収納庫における対応する引出の位置を認識し、所定の収納完了位置から収納方向への対応する引出のさらなる押進を検知して、対応する引出を反収納方向へ押し出す。
【００２８】
図３は、図２のドライブユニットの概略的な構成を示した斜視図であり、図４は、図３のドライブユニットの動作を説明する平面図である。
【００２９】
図３に示すように、ドライブユニット２１０は、駆動部２１２と、駆動部２１２から片持ちで突出したアーム２１４とを備えている。駆動部２１２は分岐電源ケーブル２１６を通じて供給される電力によって動作し、アーム２１４を回動させるモータ（図示せず）のほか、アーム２１４の回動量を検知するエンコーダ（図示せず）、およびこれらを制御する制御部（図示せず）を内部に備えている。
【００３０】
かかるアーム２１４は、通常回動自在に支持されるが、弾性部材もしくはモータによって矢印方向（引出方向）に微力で付勢される。従って、アーム２１４は、引出が接触した後、引出背面に連動して回動し、エンコーダは引出の位置を検知できる。また、モータはアーム２１４を通じて引出を押し出す力を有するが、その押し出し力は所定の条件を満たさない限り働かない。
【００３１】
このようなドライブユニット２１０を備えた収納庫、例えば、コンロキャビネット１２０を例に挙げると、図４（ａ）に示すように、引出１２４が引き出されている状態で、ドライブユニット２１０のアーム２１４は、最大角度で回動しており、その先端が引出に向いている。そして、ユーザが引出１２４を収容するため押進すると、図４（ｂ）に示すようにアーム２１４は引出１２４の背面に押されて回動する。
【００３２】
このとき駆動部２１２では、アーム２１４の回動をエンコーダによって検知し続ける。引出１２４が収納完了位置（完全に収容される位置）にて静止すると、エンコーダの変化量が所定範囲内に収まり、駆動部２１２内の制御部はその位置を収納完了位置として認識する。そして、図４（ｃ）に示すように引出を収納完了位置よりさらに２ｍｍ程度以上押進する（押し込む）ことにより、制御部はエンコーダを通じてこれを検知し、駆動部２１２内のモータを動作させて図４（ｄ）の矢印の方向にアーム２１４を回動させる。こうして引出１２４が押し出される。
【００３３】
ここでドライブユニット２１０は、押進を、アーム２１４の回転角度、即ち、引出の移動距離によって検知している。こうすることで、押圧力の大きさに拘わらず移動距離のみによってその押圧を判断できるので、ユーザはどの程度の力を加えたらよいのかを考えなくて済み、前板を所定距離押し込むことで引出を引き出すことができる。
【００３４】
上記構成および動作により、使用者にしてみれば、引出をわずかに押し込むことによって自動的に引出が出てくることになる。したがって引出の開閉が極めて簡便になり、また自動化による高級感を得ることができる。なお押し込む量は任意に設定することができるが、例えば１ｍｍ〜５ｍｍ程度とすることができる。
【００３５】
（配線用の空隙）
図５は図２のキャビネット間の配線図である。図５（ａ）は正面図を示し、図５（ｂ）は図５（ａ）のＡ−Ａ断面図を示す。図５（ａ）は点線で示す部分を拡大したものも示している。図５を用いて本実施形態の特徴である配線用の空隙について詳述する。各キャビネットのうち、縦ブラケットが採用されるベースキャビネット１３０において、この空隙が設けられる。その他のキャビネットの詳細は図示および説明を省略する。
【００３６】
既に図１でも述べたように、図５のベースキャビネット１３０は、垂直方向に配列された複数の引出１３２および足下収納庫１３６を含む（図５（ａ）では図示は省略している）。つまり本実施形態では、プッシュオープン式の引出は、引出１３２および足下収納庫１３６を合わせて４つであるが、この数には制限はなく、自由に増減させてよい。
【００３７】
引出１３２、足下収納庫１３６の奥には、それぞれに対応する高さにあり、垂直方向に配列される複数のドライブユニット２１０がある。ドライブユニット２１０の数は、本実施形態では、引出の数に対応して４つであるが、引出の数に対応してこれも自由に増減させてよい。
【００３８】
ベースキャビネット１３０は、複数のドライブユニット２１０を一括して支持する立設された平板状の縦ブラケット４００を含む。かかる縦ブラケット４００を設ける理由は、主として、ベースキャビネット１３０の背板の厚みが数ミリ程度であり、ドライブユニット２１０を複数支持するだけの強度が不足していることによる。
【００３９】
仮に背板にドライブユニット２１０を一括して支持するだけの強度があっても、引出１３２、足下収納庫１３６の収納時の衝撃がドライブユニット２１０を介して背板に伝わるのは、好ましくない。一方、縦ブラケット４００を用いればかかる問題は生じず、１枚の縦ブラケット４００で複数のドライブユニット２１０を一括して支持できる点で有利である。
【００４０】
縦ブラケット４００は、その上端とベースキャビネット１３０の天板との間に配線用の空隙４１０を有していることを特徴とする。より具体的には、空隙４１０は、縦ブラケット４００の上端を支持しベースキャビネット１３０の両側壁板２０２に差し渡されている間口材４３０と、天板４４０との間に形成されている。
【００４１】
本実施形態では、ベースキャビネット１３０を含めたシステムキッチン１００の下方に配線専用のスペースがない。そのため、システムキッチン１００を横断方向に貫く配線用連結孔４４２を設け、ドライブユニット２１０を前面で支持する縦ブラケット４００の背面側に、上記の配線用連結孔４４２を通して主電源ケーブル４５０（コンロキャビネット１２０にて電源に接続されている）を配線せざるを得ない。しかし、上述の空隙４１０を設けることにより、主電源ケーブル４５０から分岐させた分岐電源ケーブル２１６を、空隙４１０を通して、縦ブラケット４００の前面側に取り回すことができる。したがって、縦ブラケット４００の前面側に支持されているドライブユニット２１０に分岐電源ケーブル２１６を配線することができる。
【００４２】
また、縦ブラケット取付具４６０によって縦ブラケット４００を立設した状態に固定する間口材４３０により、分岐電源ケーブル２１６は、縦ブラケット４００の背面から前面へ空隙を通ることとなり、縦ブラケット４００の上方からのみ、分岐電源ケーブル２１６を取り回すことができる。
【００４３】
分岐電源ケーブル２１６は縦ブラケット４００の背面側から空隙４１０を通り、縦ブラケット４００の前面側に支持されている複数のドライブユニット２１０のうち、上方のものから順次下方のものへ到来するように接続される。これによれば、分岐電源ケーブル２１６は引出１３２、足下収納庫１３６と干渉することなく、最も単純な配線によって、すべてのドライブユニット２１０に電源供給可能となる。
【００４４】
なお縦ブラケット４００の横の空隙４７０から分岐電源ケーブル２１６を取り回すことも可能ではあるが、その場合、最上部のドライブユニット２１０まで分岐電源ケーブル２１６を引き上げる必要があり、最も単純な配線とは言いがたくなる。
【００４５】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４６】
本発明は、プッシュオープン式の引出を有する収納ユニットに適用可能である。
【図面の簡単な説明】
【００４７】
【図１】本実施形態のシステムキッチンの全体構成を説明する図である。
【図２】図１のキャビネットの内部構成を説明する図である。
【図３】図２のドライブユニットの概略的な構成を示した斜視図である。
【図４】図３ドライブユニットの動作を説明する平面図である。
【図５】図２のキャビネット間の配線図である。
【符号の説明】
【００４８】
１００  システムキッチン
１３０  ベースキャビネット
１３２  引出
１３６  足下収納庫
２１０  ドライブユニット
４００  縦ブラケット
４１０  空隙
４３０  間口材
【図１】
2009050327.tif 000003
【図２】
2009050327.tif 000004
【図３】
2009050327.tif 000005
【図４】
2009050327.tif 000006
【図５】
2009050327.tif 000007